(57)【要約】      （修正有）【課題】外部機器の使用に係るユーザの利便性を向上できる電子機器を提供する。【解決手段】電子機器は、外部機器１０との通信が可能な電子機器であって、電子機器に記憶されている情報及び電子機器と外部機器との位置関係の少なくとも一方に基づいて、外部機器の状態に関する情報を取得するタイミングを決定し、決定したタイミングで、外部機器の状態に関する情報を通信部２１７系由で外部機器から取得する制御部２２１を備える。【選択図】図１
2018191303.tif 000002
【特許請求の範囲】
【請求項１】
外部機器と通信する通信部と、
前記通信部を介して、前記外部機器の状態に関する情報を前記外部機器から取得する取得部と、
前記通信部を介して取得した前記外部機器の状態に関する情報を表示する表示部と、
ユーザのスケジュールに関する情報及び前記外部機器の使用履歴に関する情報に基づいて、前記表示部を制御する制御部と、
を備える電子機器。
【請求項２】
前記制御部は、前記スケジュールに関する情報によって、前記表示部が前記外部機器の状態に関する情報を表示するタイミングを変える、
請求項１記載の電子機器。
【請求項３】
前記制御部は、前記スケジュールに関する情報によって、前記表示部が表示する内容を変える、
請求項１又は２記載の電子機器。
【請求項４】
前記制御部は、前記使用履歴に関する情報によって、前記表示部が前記外部機器の状態に関する情報を表示するタイミングを変える、
請求項１〜３のいずれか１項記載の電子機器。
【請求項５】
前記制御部は、前記使用履歴に関する情報によって、前記表示部が表示する内容を変える、
請求項１〜４のいずれか１項記載の電子機器。
【請求項６】
前記制御部は、前記スケジュール毎の前記使用履歴に関する情報に基づいて、前記表示部を制御する、
請求項１〜５のいずれか１項記載の電子機器。
【請求項７】
前記外部機器の状態に関する情報は、前記外部機器の電池残量に関する情報、前記外部機器に装着された記憶媒体の空き容量に関する情報、前記外部機器の消耗部材の使用回数に関する情報、及び前記外部機器の電池の充電回数に関する情報の少なくとも１つを含む、
請求項１〜６のいずれか１項記載の電子機器。
【請求項８】
前記表示部は、前記外部機器の状態に関する情報と、前記スケジュールに関する情報と、を表示する
請求項１〜７のいずれか１項記載の電子機器。
【請求項９】
外部機器と通信する通信処理と、
前記通信処理を介して、前記外部機器の状態に関する情報を前記外部機器から取得する取得処理と、
ユーザのスケジュールに関する情報及び前記外部機器の使用履歴に関する情報に基づいて、前記外部機器の状態に関する情報を表示部に表示する表示処理と、をコンピュータに実行させるプログラム。
【発明の詳細な説明】
【技術分野】
【０００１】
本発明は、電子機器およびプログラムに関する。
【背景技術】
【０００２】
従来から、携帯通信端末を用いて、良好なカメラ撮影を可能にするカメラ撮影支援システムが提案されている（例えば、特許文献１）。
【先行技術文献】
【特許文献】
【０００３】
【特許文献１】特開２０１０−１３００３７号公報
【発明の概要】
【発明が解決しようとする課題】
【０００４】
しかしながら、特許文献１に記載のカメラ撮影支援システムでは、その支援が撮影時に限られており、ユーザの利便性がよくない場合があった。
【０００５】
そこで、本発明は上記の課題に鑑みてなされたものであり、外部機器の使用に係るユーザの利便性を向上できる電子機器およびプログラムを提供することを目的とする。
【課題を解決するための手段】
【０００６】
本発明の電子機器（２０）は、外部機器（１０）との通信が可能な電子機器であって、前記電子機器に記憶されている情報及び前記電子機器と前記外部機器との位置関係の少なくとも一方に基づいて、前記外部機器の状態に関する情報を取得するタイミングを決定する決定部（２２１）と、前記決定部が決定したタイミングで、前記外部機器の状態に関する情報を前記外部機器から取得する取得部（２１７，２２１）と、を備える。
【０００７】
この場合において、前記電子機器に記憶されている情報は、前回取得した前記外部機器の状態に関する情報を含んでいてもよい。この場合において、前記取得部は、前記外部機器から、ユーザの前記外部機器の使用に関する情報を取得し、前記決定部は、前回取得した前記外部機器の状態に関する情報と前記ユーザの前記外部機器の使用に関する情報とに基づいて、前記タイミングを決定してもよい。また、前記電子機器に記憶されている情報は、ユーザのスケジュールに関する情報を含んでもよい。
【０００８】
本発明の電子機器において、前記外部機器の状態に関する情報は、前記外部機器の電池残量に関する情報、前記外部機器に装着された記憶媒体の空き容量に関する情報、前記外部機器の消耗部材の使用回数に関する情報、及び前記外部機器の電池の充電回数に関する情報の少なくとも１つを含んでいてもよい。また、本発明の電子機器において、前記決定部は、前記電子機器がユーザにより使用されている場合に、前記タイミングを決定することとしてもよい。また、本発明の電子機器は、前記外部機器の状態に関する情報を報知する報知部（２０１）を備えていてもよい。
【０００９】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１０】
本発明の電子機器およびプログラムは、外部機器の使用に係るユーザの利便性を向上できるという効果を奏する。
【図面の簡単な説明】
【００１１】
【図１】図１は、一実施形態に係る電子機器システムの構成を示す図である。
【図２】図２は、撮像装置の使用に関する情報の一例を示す図である。
【図３】図３は、携帯機器が実行する処理の一例を示すフローチャートである。
【図４】図４は、スケジュール情報の一例を示す図である。
【図５】図５（Ａ）及び図５（Ｂ）は、図３の処理を説明するための図である。
【図６】図６（Ａ）及び図６（Ｂ）は、図３の処理を説明するための図である。
【図７】図７は、診断結果の別の表示例を示す図である。
【発明を実施するための形態】
【００１２】
以下、本発明の一実施形態について、図１〜図６を用いて、詳細に説明する。図１には、一実施形態に係る電子機器システム５００の構成がブロック図にて示されている。電子機器システム５００は、図１に示すように、撮像装置１０と、携帯機器２０と、を利用している。携帯機器２０は多くの場面においてユーザに携帯されており、撮像装置１０による撮像を行う場合においてもユーザが携帯機器２０を携帯している可能性が高い。また、ユーザが自宅にいる場合には、撮像装置１０と携帯機器２０とが近距離通信可能な範囲に存在する可能性がある。更に、携帯機器２０にはユーザのスケジュールが記録されている場合があり、本実施形態は、このような状態を利用して撮像装置１０と携帯機器２０とを連携させるものである。
【００１３】
（撮像装置１０）
撮像装置１０は、カメラであって、一眼レフカメラ、ミラーレスカメラ、コンパクトカメラのいずれのタイプであってもよい。撮像装置１０は、図１に示すように、レンズ部１０２、レンズ駆動部１０４、撮像素子１０５、Ａ／Ｄ（Analog/Digital）変換部１０６、画像処理部１０７、表示部１０８、タッチパネル１１０、操作部１１２、メモリ１１４、記憶媒体１１６、電源回路１１８、電池１２０、位置検出センサ１２２、通信ユニット１２８、アンテナ部１３０、及び制御部１３２を有する。
【００１４】
レンズ部１０２は、ズームレンズやフォーカシングレンズを含む複数のレンズ群で構成され、被写体像を撮像素子１０５の撮像面に結像させる。
【００１５】
レンズ駆動部１０４は、例えばモータやアクチュエータなどを備え、後述する操作部１１２に含まれるレリーズスイッチの操作に応じてフォーカシング（オートフォーカス）を行うためにレンズ部１０２のフォーカシングレンズを駆動する。なお、レンズ部１０２およびレンズ駆動部１０４は、撮像装置１０からの取り外しや、交換が可能であってもよい。
【００１６】
撮像素子１０５は、受光素子が撮像面に二次元配列されたＣＭＯＳ（Complementary Metal Oxide Semiconductor）イメージセンサ等を備え、アナログ画像信号を生成する。
【００１７】
Ａ／Ｄ変換部１０６は、撮像素子１０５が生成したアナログ画像信号をデジタル画像信号に変換し、画像処理部１０７および制御部１３２に出力する。
【００１８】
画像処理部１０７は、Ａ／Ｄ変換部１０６から入力されたデジタル画像信号に対して、各種の画像処理（色補間処理、階調変換処理、輪郭強調処理、ホワイトバランス調整処理、画像圧縮処理、画像伸張処理など）を行う。画像処理部１０７によって処理された画像データ（例えば、サムネイル表示用データや、このサムネイル表示用データよりも解像度の高い本画像データなど）は、制御部１３２の制御の下、表示部１０８に表示されたり、記憶媒体１１６に記憶される。
【００１９】
表示部１０８は、例えば、ＬＣＤ（Liquid Crystal Display）であり、撮像装置１０に対する各種の設定情報や、撮像装置１０を操作するための操作メニュー、アイコンなどを表示する。また、表示部１０８は、画像処理部１０７の出力に基づくライブビュー画像（スルー画像）や、後述する記憶媒体１１６に記録されている静止画像や動画像を表示する。
【００２０】
タッチパネル１１０は、表示部１０８上に設けられ、又は表示部１０８内に組み込まれ、表示部１０８の表面に対するユーザの接触操作を検出し、種々の情報入力を受け付ける。すなわち、ユーザは、表示部１０８に表示された操作メニューやアイコンに触れる動作を行うことで、撮像装置１０を操作することができる。
【００２１】
操作部１１２は、ユーザから撮像装置１０に対する操作を受け付ける操作部材であって、レリーズスイッチ、メニュースイッチ、十字スイッチ（マルチセレクター）等を含む。レリーズスイッチは、静止画像の撮像を指示する場合にユーザによって操作される（押される）スイッチであり、メニュースイッチは撮影設定などの操作メニューを表示させるスイッチであり、十字スイッチは操作メニューを選択するたのスイッチである。
【００２２】
メモリ１１４は、不揮発性の半導体メモリ（例えば、フラッシュメモリ）であり、制御部１３２によって実行される撮像装置１０を制御するためのプログラムや各種パラメータが記憶されている。また、メモリ１１４は、撮像装置１０の使用に関する情報（使用情報）を記憶している。
【００２３】
ここで、メモリ１１４が記憶する撮像装置１０の使用情報について説明する。図２は、撮像装置１０の使用情報を格納した撮像装置使用情報テーブルの一例を示す図である。撮像装置使用情報テーブルは、情報登録日、使用開始時電池残量、使用終了時電池残量、使用開始時記憶媒体空き容量、及び、使用終了時記憶媒体空き容量の項目を備える。情報登録日の項目には、ユーザが撮像装置１０を使用した日付情報が格納される。図２の例では、ユーザは、２０１３年４月２９日、５月３日、５月５日に撮像装置１０を使用している。使用開始時電池残量の項目は、情報登録日に格納された日付において、最初に撮像装置１０の電源を入れた際の電池残量が格納される。使用終了時電池残量の項目には、情報登録日に格納された日付において、最後に撮像装置１０の電源をオフした際の電池残量が格納される。なお、最後に撮像装置１０の電源をオフした際の電池残量とは、例えば、ユーザが同じ日に時間を空けて撮像装置１０を使用したために電源のオン／オフが２回行われた場合、２回目に電源がオフされた際の電池残量をいう。使用開始時記憶媒体空き容量の項目は、情報登録日に格納された日付において、最初に撮像装置１０の電源を入れた際の記憶媒体１１６の空き容量が格納される。使用終了時記憶媒体空き容量の項目には、情報登録日に格納された日付において、最後に撮像装置１０の電源をオフした際の記憶媒体１１６の空き容量が格納される。また、メモリ１１４は、後述するように電池１２０の充電回数を記憶している。
【００２４】
図１に戻り、記憶媒体１１６は、例えば、ＳＤカードであり、静止画のデータや動画のデータを記憶する。なお、記憶媒体１１６は、撮像装置１０（不図示のカードスロットル）から着脱可能である。
【００２５】
電源回路１１８は、後述する電池１２０と接続され、電池１２０で生成された電圧を制御部１３２等の各回路で使用される電圧に変換し、各回路に供給する。
【００２６】
電池１２０は、例えばリチウムイオン電池等の二次電池である。なお、電池１２０に不揮発性の半導体メモリを設けることにより、当該メモリに充電回数と電池１２０の識別情報（製品番号、ロット番号等）とを記憶させて、これらの情報をメモリ１１４に記憶させてもよい。また、撮像装置１０内で電池１２０の充電が行われる場合には、メモリ１１４に、充電回数と識別情報とを関連付けて記憶しておいてもよい。
【００２７】
位置検出センサ１２２は、例えば、ＧＰＳ（Global Positioning System）センサであり、撮像装置１０の位置を検出し、撮像装置１０の位置情報を制御部１３２に出力する。
【００２８】
通信ユニット１２８は、他の機器と通信を行うものであり、例えばＢｌｕｅｔｏｏｔｈ（登録商標）、ＲＦＩＤ(Radio Frequency Identification)、ＴｒａｎｓｆｅｒＪｅｔ（登録商標）などの近接通信や、人体を介した人体通信などを用いることができる。本実施形態において、通信ユニット１２８は、アンテナ部１３０と、アンテナ部１３０を用いて近接通信を行う通信制御部１２９と、を備える。本実施形態では、通信制御部１２９は、後述する携帯機器２０の通信制御部２１５と通信し、撮像装置１０の状態に関する情報や、撮像装置１０の使用に関する情報を携帯機器２０に送信する。
また、本実施形態においては、撮像装置１０の不図示の電源がオフの場合であっても通信ユニット１２８へは電源回路１１８からの電源が供給されているものとする。
このため、本実施形態においては、不図示の電源がオンになったタイミングや、オフになったタイミングでメモリ１１４に記憶されている図２の撮像装置使用情報テーブルを携帯機器２０に送信することができる。
【００２９】
制御部１３２は、ＣＰＵ（Central Processing Unit）等を備え、撮像装置１０全体を制御する。具体的には、制御部１３２は、電池１２０の残量や、記憶媒体１１６の空き容量や、シャッターの累計駆動回数や、電池１２０の充電回数に関する情報の取得や、当該情報の携帯機器２０への送信を制御する。また、制御部１３２は、ユーザの撮像装置１０の使用情報のメモリ１１４への蓄積や、当該蓄積された使用情報の携帯機器２０への送信を制御する。また、ユーザがパソコンでの画像編集などで記憶媒体１１６を撮像装置１０から抜き出す場合があるので、制御部１３２は、記憶媒体１１６の有無を検出するようにしてもよい。
【００３０】
（携帯機器２０）
携帯機器２０は、ユーザにより携帯された状態で利用される情報機器である。携帯機器２０としては、携帯電話、スマートフォン、タブレット型パソコン、ＰＨＳ（Personal Handy-phone System）、ＰＤＡ（Personal Digital Assistant）等を採用することができる。本実施形態では、携帯機器２０は、スマートフォンであるものとする。携帯機器２０は、例えば、長方形の主面（ディスプレイ２０１が設けられる面）を有する薄板形状を有し、片手の手のひらで把持することができる程度の大きさであるものとする。携帯機器２０は、電話機能やインターネット等に接続するための通信機能、および、プログラムを実行するためのデータ処理機能等を有する。
【００３１】
携帯機器２０は、図１に示すように、ディスプレイ２０１、タッチパネル２０３、カレンダ部２０５、記憶部２０７、マイク２０９、スピーカ２１１、位置検出センサ２１２、通信ユニット２１３、通信部２１７、及び制御部２２１を備える。
【００３２】
ディスプレイ２０１は、携帯機器２０の主面に設けられ、画像、各種情報およびボタン等の操作入力用画像を表示する。本実施形態においては、ディスプレイ２０１は、後述する制御部２２１が行う撮像装置１０の状態を表示する。
【００３３】
タッチパネル２０３は、ユーザが触れたことに応じて情報入力を受け付ける。タッチパネル２０３は、ディスプレイ２０１上またはディスプレイ２０１内に組み込まれて設けられる。したがって、タッチパネル２０３は、ユーザがディスプレイ２０１の表面をタッチすることに応じて、種々の情報入力を受け付ける。
【００３４】
カレンダ部２０５は、年、月、日、時刻といった時間情報を取得して制御部２２１に出力する。さらに、カレンダ部２０５は、計時機能を有する。
【００３５】
記憶部２０７は、例えば、不揮発性の半導体メモリ（フラッシュメモリ等）や、ハードディスクドライブ等であり、ユーザのスケジュール情報（図４参照）を記憶したり、撮像装置１０から受信した撮像装置１０の状態情報や、撮像装置１０の使用情報を記憶する。
【００３６】
マイク２０９は、例えば、携帯機器２０の主面のディスプレイ２０１下方に設けられ、ユーザが携帯機器２０の電話機能を使用する際に、ユーザの口元に位置するようになっている。スピーカ２１１は、例えば、携帯機器２０の主面のディスプレイ２０１上方に設けられ、ユーザが携帯機器２０の電話機能を使用する際に、ユーザの耳元に位置するようになっている。
【００３７】
通信ユニット２１３は、他の機器と通信を行うものであり、例えばＢｌｕｅｔｏｏｔｈ（登録商標）、ＲＦＩＤ、ＴｒａｎｓｆｅｒＪｅｔ（登録商標）などの近接通信や、人体を介した人体通信、および無線通信などを用いることができる。本実施形態において、通信ユニット２１３は、アンテナ部２１４と、アンテナ部２１４を用いて近接通信を行う通信制御部２１５と、を備える。本実施形態では、通信制御部２１５は、撮像装置１０の通信制御部１２９と通信し、撮像装置１０の状態情報及び使用情報を、撮像装置１０から受信する。
【００３８】
通信部２１７は、インターネット等のネットワークへの接続や、他の外部機器との間で無線通信を行う際に使用される。
【００３９】
制御部２２１は、ＣＰＵ、ＲＡＭ（Random Access Memory）、ＲＯＭ(Read Only Memory)等を備え、携帯機器２０全体を制御する。
【００４０】
次に、携帯機器２０の制御部２２１が実行する、撮像装置１０の状態を診断する処理（機器状態診断処理）の一例について説明する。図３は、制御部２２１が実行する機器状態診断処理の一例を示すフローチャートである。
【００４１】
図３の処理では、まず、ステップＳ１１において、制御部２２１は、ユーザが携帯機器２０の使用を開始するまで待機している。ここで、制御部２２１は、ユーザがタッチパネル２０３の操作を行った場合に、ユーザが携帯機器２０の使用を開始したと判断してもよいし、不図示の加速度センサや生体センサからの出力に基づき、ユーザが携帯機器２０を手に持ったと判断できる場合に、ユーザが携帯機器２０の使用を開始したと判断してもよい。ユーザが携帯機器２０の使用を開始すると、ステップＳ１１の判断が肯定され、ステップＳ１３に移行する。
【００４２】
ステップＳ１３に移行すると、制御部２２１は、撮像装置１０が使用されるタイミングであるか否かを判断する。具体的には、制御部２２１は、記憶部２０７に記憶されたユーザのスケジュール情報に基づき、撮像装置１０が使用されるタイミングか否かを判断する。例えば、制御部２２１は、現在の日付から、所定の期間内（例えば、３日以内）に、撮像装置１０（カメラ）を使用する可能性があるスケジュールが登録されているか否かを判断する。ここで、携帯機器２０は、撮像装置１０を使用する可能性があるスケジュール名のリストを保持しており、制御部２２１は、当該リスト内のスケジュール名と一致するスケジュールが登録されているか否かを判断する。例えば、撮像装置１０を使用する可能性があるスケジュールとして、リストに“結婚式”が登録されていたとする。ここで、現在の日付が２０１３年５月２３日であり、図４に示すスケジュール情報が記憶部２０７に記憶されていた場合、現在の日付（２０１３年５月２３日）から３日以内の２０１３年５月２５日に友人の“結婚式”が予定として登録されているので、制御部１３は、撮像装置１０が使用されるタイミングであると判断し、ステップＳ１５に移行する。
【００４３】
ステップＳ１５に移行すると、制御部２２１は、撮像装置１０との近接通信が成立しているか否かを判断する。ここでの判断が肯定された場合、ステップＳ１７に移行する。なお、本実施形態では、前述したように、撮像装置１０は不図示の電源がオフされている場合でも、携帯機器２０との近接通信ができるように通信ユニット１２８には常に電源回路１１８からの電源が供給されている。また、通信ユニット１２８と通信ユニット２１３との通信が成立したのをトリガーとして制御部１３２に電源回路１１８からの電源が供給されるようにしてもよい。また、これに代えて、制御部１３２にも電源回路１１８からの電源が常に供給されるようにしてもよい。
【００４４】
ステップＳ１７に移行すると、制御部２２１は、撮像装置１０の状態に関する情報（状態情報）と、使用に関する情報（使用情報）とを撮像装置１０から取得する。本実施形態において、制御部２２１は、撮像装置１０の状態情報及び使用情報の送信を撮像装置１０に要求する。要求を受け付けた撮像装置１０の制御部１３２は、電池１２０の残量、記憶媒体１１６の有無および空き容量、シャッターの累計駆動回数、および電池１２０の充電回数を取得し、撮像装置１０の状態情報として携帯機器２０に送信する。また、撮像装置１０の制御部１３２は、メモリ１１４に格納されている撮像装置使用情報テーブル（図２参照）を撮像装置１０の使用情報として携帯機器２０に送信する。制御部２２１は、取得した撮像装置１０の状態情報を、図５（Ａ）に示す撮像装置状態情報テーブルに登録する。このとき、撮像装置１０から状態情報を取得した日付を、情報取得日の項目に格納する。
【００４５】
続くステップＳ１９以降の処理において、制御部２２１は、ステップＳ１７で取得した撮像装置１０の状態情報と使用情報とに基づいて、現在の撮像装置１０の状態を確認（診断）する。
【００４６】
まず、制御部２２１は、ステップＳ１９において、現在の撮像装置１０の電池１２０の状態を診断する。具体的には、制御部２２１は、撮像装置１０の電池１２０の充電要否及び交換要否を診断する。まず、制御部２２１は、ステップＳ１７で取得した撮像装置１０の状態情報に含まれる電池残量が、ユーザの１日あたりの平均電池使用量以上であるか否かを判断する。例えば、図５（Ｂ）に示す撮像装置使用情報テーブルにおいて、ユーザは、１日あたり平均３０％の電池を消費している。一方、図５（Ａ）に示す撮像装置状態情報テーブルでは、電池残量が２５％となっており、ユーザの１日あたりの平均電池使用量（３０％）よりも少なくなっている。この場合、制御部２２１は、電池１２０の充電が必要であると診断する。なお、制御部２２１は、電池残量が所定の閾値（例えば、５０％）以下であるか否かに基づいて、充電の要否を判断してもよい。その後、制御部２２１は、電池１２０の充電回数が、所定の閾値（例えば、５００回）以上であるか否かを判断する。そして、制御部２２１は、充電回数が所定の閾値以上である場合には、電池１２０の交換が必要であると診断する。
【００４７】
続くステップＳ２０において、制御部２２１は、記憶媒体１１６の状態を診断する。具体的には、制御部２２１は、ステップＳ１７で取得した撮像装置１０の状態情報に含まれる記憶媒体空き容量が、ユーザの１日あたりの平均記憶媒体使用量以上であるか否かを判断する。例えば、図５（Ｂ）に示す撮像装置使用情報テーブルにおいて、ユーザは、１日あたり平均約５ＧＢの容量を使用している。一方、図５（Ａ）に示す撮像装置状態情報テーブルでは、記憶媒体空き容量が１４ＧＢとなっており、ユーザの１日あたりの記憶媒体使用量（約５ＧＢ）以上となっている。この場合、制御部２２１は、記憶媒体１１６の空き容量が十分であると診断する。なお、制御部２２１は、記憶媒体空き容量が所定の閾値（例えば、３ＧＢ）以上であるか否かに基づいて、記憶媒体１１６の空き容量が十分であるか否かを判断してもよい。また、“運動会”では必要な空き容量を１０ＧＢとし、“結婚式”では必要な空き容量を５ＧＢとし、“旅行”ではその日数に応じて空き容量を設定するなど、スケジュール毎に必要な空き容量をユーザが予め登録しておいてもよい。また、スケジュール毎に過去の使用履歴を考慮した容量を制御部２２１が設定してもよい。
【００４８】
続くステップＳ２１において、制御部２２１は、耐久部品の状態を診断する。本実施形態では、制御部２２１は、シャッターの状態を診断する。具体的には、制御部２２１は、ステップＳ１７で取得した撮像装置１０の状態情報に含まれるシャッター累計駆動回数が、所定の閾値（例えば、５万回）以上であるか否かを判断する。例えば、図５（Ａ）に示す撮像装置状態情報テーブルにおいて、シャッター累計駆動回数は１５００回であり、所定の閾値（例えば、５万回）以下である。この場合、制御部２２１は、シャッターの耐久に問題はないと診断する。なお、制御部２２１は、例えば、シャッターの累計駆動回数が所定の閾値（５万回）以下であっても、閾値の８割（４万回）を超えていたら、ユーザにシャッターの耐久について警告する診断をおこなってもよい。
【００４９】
続くステップＳ２２において、制御部２２１は、ディスプレイ２０１に、診断結果を表示し、図３の全処理を終了する。具体的には、図６（Ａ）に示すように、ユーザのスケジュールと、撮像装置１０の状態に関する診断結果をディスプレイ２０１に表示する。これにより、ユーザは、撮像装置１０の電源を入れなくても、撮像装置１０の状態を知ることができ、撮像装置１０を使用するときに電池残量が不足していたり、記憶媒体１１６を入れ忘れたり、記憶媒体１１６の空き容量が足りずに、撮影を行えないといった事態を事前に回避することができ、ユーザの撮像装置１０の使用に係る利便性が向上する。なお、制御部２２１によるユーザへの報知は、撮影に支障がある場合に限定してもよい。
【００５０】
ところで、撮像装置１０との近接通信が成立していない場合（ステップＳ１５／ＮＯ）、制御部２２１は、ステップＳ２３に移行する。
【００５１】
ステップＳ２３に移行すると、制御部２２１は、前回取得した撮像装置１０の状態情報が存在するか否かを判断する。例えば、ユーザが撮像装置１０を購入して使い始めたばかりであり、撮像装置１０から携帯機器２０に状態情報や使用情報を送信されたことが無い場合には、ここでの判断が否定され、制御部２２１は、ステップＳ２９に移行する。
【００５２】
ステップＳ２９に移行すると、制御部２２１は、ディスプレイ２０１に診断ができない旨を表示し、図３の全処理を終了する。
【００５３】
一方、前回取得した撮像装置１０の状態情報が存在する場合には、制御部２２１は、ステップＳ２４に移行する。
【００５４】
ステップＳ２４に移行すると、制御部２２１は、前回取得した状態情報に基づいて、ステップＳ１９と同様に、電池１２０の状態を診断する。そして、制御部２２１は、前回取得した情報に基づいて、ステップＳ２５において、ステップＳ２０と同様に記憶媒体１１６の状態を診断し、ステップＳ２６において、ステップＳ２１と同様に耐久部品の状態を診断する。
【００５５】
続くステップＳ２７において、制御部２２１は、ディスプレイ２０１に診断結果を表示し、図３の全処理を終了する。具体的には、図６（Ｂ）に示すように、制御部２２１は、診断結果とともに、前回取得した状態情報に基づく診断結果であることを表示する。これにより、前述したようにユーザの撮像装置１０の使用に係る利便性が向上する。
【００５６】
ところで、ステップＳ１３において、撮像装置１０が使用されるタイミングではないと判断された場合には、ステップＳ１４に移行する。
【００５７】
ステップＳ１４に移行すると、制御部２２１は、撮像装置１０の充電が必要なタイミングか否かを判断する。本実施形態では、制御部２２１は、前回取得した撮像装置１０の電池残量から自然放電分を差引いた電池残量が、ユーザの撮像装置１０の使用情報から求めた１日あたりの電池使用量以下となった場合に、撮像装置１０の充電が必要であると判断する。なお、制御部２２１は、前回取得した撮像装置１０の電池残量から自然放電分を差引いた電池残量が、所定の閾値（例えば、５０％や３０％）以下となった場合に、撮像装置１０の充電が必要であると判断してもよい。なお、本実施形態では、前回図３の処理を行った際に取得した撮像装置１０の状態情報が記憶部２０７に記憶されており、制御部２２１は、当該状態情報を用いて撮像装置１０の充電が必要なタイミングか否かを判断するが、これに限られるものではない。例えば、撮像装置１０が、毎回、撮像装置１０の電源がオフされる際に、状態情報および使用情報を携帯機器２０に送信し、携帯機器２０が当該情報を記憶部２０７の撮像装置状態情報テーブル及び撮像装置使用情報テーブルに登録しておくようにしてもよい。これにより、撮像装置１０が最後に使用されたときの電池残量を用いて、ステップＳ１４の判断が実行できるため、判断の精度を高めることができる。ここでの判断が否定された場合、制御部２２１は、図３の処理を終了するが、肯定された場合には、上述したステップＳ１５以下の処理を実行する。これにより、例えば、予定外に撮像装置１０が使用されることになった場合に、電池残量が不足し、撮影を行えないといった事態を事前に回避することができる。
【００５８】
以上、詳細に述べたように、本実施形態によれば、携帯機器２０の制御部１３２は、携帯機器２０に記憶されている情報に基づいて、撮像装置１０の状態に関する情報を取得するタイミングを決定し、決定したタイミングで、撮像装置１０の状態に関する情報を撮像装置１０から取得するので、適切なタイミングで、撮像装置１０の状態情報を取得することができる。これにより、適切なタイミングで（例えば、撮像装置１０を使用する予定の前に）、撮像装置１０の状態についてユーザに情報を提供できるため、ユーザの撮像装置１０の使用に係る利便性が向上する。
【００５９】
また、本実施形態において、携帯機器２０に記憶されている情報は、前回取得した撮像装置１０の状態に関する情報を含むので、前回取得した撮像装置１０の状態から現在の撮像装置１０の状態を推定することができ、当該推定結果に基づいて、撮像装置１０の状態に関する情報を取得すべきか否かを判断することができる。
【００６０】
また、本実施形態において、制御部１３２は、撮像装置１０からユーザの撮像装置１０の使用に関する情報を取得し、前回取得した撮像装置１０の状態に関する情報とユーザの撮像装置１０の使用に関する情報とに基づいて、撮像装置１０の状態情報を取得するタイミングを決定するので、ユーザごとの撮像装置１０の使用特性を考慮して、撮像装置１０の状態情報を取得できる。すなわち、１日あたりの電池使用量が多いユーザＡと、少ないユーザＢとで、撮像装置１０の状態情報を取得するタイミングを異ならせることができる。これにより、各ユーザにとって適切なタイミングで撮像装置１０の状態についてユーザに情報を提供できる。
【００６１】
また、本実施形態において、携帯機器２０に記憶されている情報は、ユーザのスケジュールに関する情報を含むため、ユーザが撮像装置１０を使用する可能性が高いタイミングで、撮像装置１０の状態情報を取得することができる。したがって、ユーザが当該スケジュールにおいて撮像装置１０を使用する際に、電池切れや、記憶媒体１１６の空き容量不足等が発生しないように、事前に撮像装置１０の状態情報をユーザに提供できる。
【００６２】
また、本実施形態において、制御部２２１は、撮像装置１０の状態情報として、撮像装置１０の電池１２０の残量、記憶媒体１１６の空き容量、消耗部材（シャッター）の使用回数（累計駆動回数）、及び電池１２０の充電回数を取得するので、電池１２０の充電要否や、電池１２０の交換要否、消耗部材の耐久、記憶媒体１１６の空き容量が十分か否か等の診断を行うことができる。
【００６３】
また、本実施形態において、制御部２２１は、携帯機器２０がユーザにより使用されている場合に、撮像装置１０から状態情報を取得するタイミングを決定するので、撮像装置１０の状態情報をユーザに適切に報知することができる。すなわち、撮像装置１０の状態情報を確実にユーザに確認してもらうことができる。
【００６４】
また、本実施形態において、携帯機器２０は、撮像装置１０の状態情報を表示するディスプレイ２０１を備えるので、ユーザは、撮像装置１０の電源を入れなくとも、携帯機器２０のディスプレイ２０１上で撮像装置１０の状態を確認することができる。
【００６５】
なお、上述の実施形態では、制御部２２１は、１台の撮像装置１０の状態について診断を行っていたが、これに限られず、ユーザが撮像装置１０を複数所有している場合には、各撮像装置１０から状態情報及び使用情報を取得し診断を行い、図７に示すように、各機器毎の診断結果を表示してもよい。この場合、各機器の状態を要約した診断結果（総合診断）を表示してもよい。
【００６６】
また、ユーザのスケジュールが旅行等で複数日にまたがる場合には、制御部２２１は、図７に示すように、充電器の携行要否を診断し、表示してもよい。この場合、制御部２２１は、ユーザの１日あたりの平均電池使用量（例えば、３０％）に旅行日数（例えば、４日）を乗算し、乗算結果が１００％を超える場合に、充電器の携行が必要と判断するなどすればよい。
【００６７】
また、撮像装置１０の状態を診断するタイミングは、上記実施形態に限られるものではなく、例えば、定期的（１カ月に１回）に診断を行ってもよいし、撮像装置１０と携帯機器２０とが一定の距離内（例えば、近接通信が成立する範囲内）にあれば診断を行うようにしてもよい。また、例えば、携帯機器２０が所定の場所（例えば、自宅）に存在する場合に診断を行ってもよい。この場合、携帯機器２０が所定の場所に存在するか否かは、位置検出センサ２１２を用いて判断すればよい。また、撮像装置１０の保証期間が終了する所定日前（例えば、３日前）に診断を行ってもよい。
【００６８】
なお、上記実施形態において、例えば、撮像装置１０は、電源が所定時間（例えば、４時間）以上入り続けている場合に、携帯機器２０に、撮像装置１０の状態（電源が入り続けている状態）を送信してもよい。この場合、携帯機器２０は、鞄の中等で撮像装置１０の電源が勝手に入ってしまったと判断し、ディスプレイ２０１に撮像装置１０の電源が勝手に入ったという状態を表示することができる。これにより、ユーザは撮像装置１０を操作・確認することなく、携帯機器２０から撮像装置１０の状態を知ることができる。
【００６９】
なお、上記実施形態では、携帯機器２０の制御部２２１が、撮像装置１０から取得した状態情報及び使用情報に基づいて、撮像装置１０の状態を診断していたが、これに限られるものではなく、撮像装置１０が自機の状態情報及び使用情報に基づいて、自己診断し、診断結果を携帯機器２０に送信するようにしてもよい。この場合、携帯機器２０は、受信した診断結果をディスプレイ２０１に表示すればよい。
【００７０】
なお、上記実施形態では、携帯機器２０は、撮像装置１０の状態を診断していたが、これに限られるものではない。携帯機器２０は、撮像装置１０の代わりに、例えば、ボイスレコーダ、ハードディスクレコーダ、掃除ロボット、自動車、及び、プリンタ等の状態を診断し、ディスプレイ２０１に表示してもよい。例えば、携帯機器２０は、定期的にハードディスクレコーダから取得し記憶部２０７に記憶している番組予約のスケジュールに基づいて、ハードディスクレコーダの状態情報を取得するタイミング（例えば、番組が予約されている日の所定日前や、当日の朝）を決定してもよい。携帯機器２０が、当該タイミングでハードディスクレコーダから例えばハードディスクの空き容量を取得し、ハードディスクレコーダの容量が十分か否かを判断し表示すれば、ユーザは、毎週予約の機能を用いて番組の録画を予約している場合に、ハードディスクの容量不足により番組が予約できないといった事態を回避することができる。
【００７１】
また、例えば、携帯機器２０は、定期的に掃除ロボットから取得し記憶部２０７に記憶している掃除ロボットの動作予約時間に基づいて、掃除ロボットの状態情報を取得するタイミング（例えば、動作予約時間の所定時間前、あるいは、動作予約日の朝）を決定してもよい。携帯機器２０が、当該タイミングにおいて掃除ロボットからゴミ収納容器に集められたゴミの量を取得し、ゴミ収集容器の空き容量が十分か否かを判断し表示すれば、ユーザは、掃除ロボットが動作する前に、ゴミ収納容器内のゴミを捨てる等の対応をとることができ、掃除ロボットがゴミを吸わない等の事態を回避することができる。
【００７２】
また、例えば、携帯機器２０は、記憶部２０７のスケジュール情報（図４参照）に基づいて、自動車の状態情報を取得するタイミング（例えば、旅行の数日前等）を決定してもよい。携帯機器２０が、当該タイミングで自動車から例えばガソリン（電気自動車の場合には、蓄電池）の残量を取得し、ガソリンの残量が十分か否かを判断し表示すれば、例えば、深夜に出発する旅行が予定されていた場合に、ガソリンがなくなったが深夜のためガソリンスタンドが開いておらず旅行先で自動車が使用できなくなるといった事態を回避することができる。
【００７３】
また、例えば、携帯機器２０は、記憶部２０７に記憶された季節行事（お正月等）に関する情報に基づいて、プリンタの状態情報を取得するタイミング（例えば、元旦の１ヶ月前、すなわち、年賀状の作成時期前）を決定してもよい。携帯機器２０が、当該タイミングでプリンタから例えばインクの残量を取得し、年賀状の印刷に十分なインク残量があるか否かを判断し表示すれば、ユーザは、年賀状を印刷している途中でインクがなくなってしまう等の事態を回避することができる。
【００７４】
上述した実施形態は本発明の好適な実施の例である。但し、これに限定されるものではなく、本発明の要旨を逸脱しない範囲内において種々変形実施可能である。
【符号の説明】
【００７５】
１０    電子機器
２０    携帯機器
２０１    ディスプレイ
２１７    通信部
２２１  制御部
【図１】
2018191303.tif 000003
【図２】
2018191303.tif 000004
【図３】
2018191303.tif 000005
【図４】
2018191303.tif 000006
【図５】
2018191303.tif 000007
【図６】
2018191303.tif 000008
【図７】
2018191303.tif 000009